(57)【要約】  本発明は、海水バラストを有しない輸送船（１）であって、船（１）の横軸（ｙ’ｙ）に沿って測定される幅ｌを有し、前記船（１）は、所与の最大積載重量容量ＰＴＣを考慮して、式：ＰＴ＝Ｐｖ＋ＰＴＣに従う、その総重量ＰＴの２０％から６０％の空荷重量Ｐｖを有し、密度が１に等しい液体で完全に充填されたときの総重量ＰＲＴが前記空荷重量Ｐｖの２％から８％、好ましくは３％から６％を占める、海と連通しない少なくとも１つの第１の閉鎖液体タンク及び第２の閉鎖液体タンク（３’又は３’’）を有し、前記タンク（３’、３’’）は、液体を一方から他方に移送するために少なくとも１つのパイプを介して連通し、タンク（３’、３’’）が実質的に横軸（ｙ’ｙ）に沿って互いに対向して配置されているときに、前記タンク（３’、３’’）の各々のそれぞれの幾何学的中心を考えて、少なくとも１／２である距離ｄだけ互いに離隔しており、すなわちｄ≧１／２である、輸送船（１）のトリムを制御するための方法に関する。【選択図】図４
2021525679.tif 000002
【特許請求の範囲】
【請求項１】
海水バラストを有しない輸送船（１）のトリムを制御するための方法であって、前記船は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船（１）は、比重が１に等しい液体で完全に充填されたときの総重量ＰＲＴが前記空荷時重量ＰＶの２％から８％、好ましくは３％から６％に相当する、海と連通しない少なくとも１つの船首閉鎖液体タンク（２）及び１つの船尾閉鎖液体タンク（３）を含み、
前記タンク（２、３）は、一方から他方に液体を移送するための少なくとも１つのラインを介して連通し、
前記タンク（２、３）は、実質的に前記長手軸（ｘ’ｘ）に沿って互いに対向して、かつ、前記タンク（２、３）の各々のそれぞれの幾何学的中心を考えてＬ／４に少なくとも等しい距離ｄを互いに空けて配置され、すなわちｄ≧Ｌ／４であり、
前記方法は、前記船の積荷の重量がＰＴＣ／１０未満のときに、液体を前記船首タンク（２）に移送して、前記船の喫水線を真っ直ぐにするステップを含む、方法。
【請求項２】
前記液体を前記船首タンク（２）に移送するステップは、前記船首タンク（２）が充填されるまで実行される、船（１）のトリムを制御するための請求項１に記載の方法。
【請求項３】
前記船（１）は係留タンク（１２）をさらに含み、前記係留タンク（１２）は前記船首タンク（２）及び前記船尾タンク（３）から独立しており、前記船（１）は、前記係留タンク（１２）に液体を供給するためのライン（１３）及び前記係留タンク（１２）の排出を行うためのライン（１４）をさらに含み、前記係留タンク（１２）は前記船（１）の船首にあり、前記方法は、前記船（１）の前記喫水線をさらに真っ直ぐにするために、前記供給ライン（１３）を介して前記液体を前記係留タンクに移送するステップをさらに含む、船（１）のトリムを制御するための請求項１又は２に記載の方法。
【請求項４】
前記船首タンク（２）が、前記船の船首の最初の３分の１、好ましくは船首の最初の４分の１に位置し、前記船尾タンク（３）が、前記船（１）の船尾の最後の３分の１、好ましくは船尾の最後の４分の１に位置することを特徴とする、船（１）のトリムを制御するための請求項１から３のいずれか一項に記載の方法。
【請求項５】
前記船（１）が、前記船（１）の前記長さＬの４０％以上６０％以下の区域に位置する第３のタンク（４）を含むことを特徴とし、前記船首タンク（２）と前記船尾タンク（３）との間での液体の移送のための連通は、好ましくは前記第３のタンク（４）を介して行われる、船（１）のトリムを制御するための請求項１から４のいずれか一項に記載の方法。
【請求項６】
海水バラスト（１）を有しない輸送船（１）のトリムを制御するための方法であって、前記船は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船は、比重が１に等しい液体で完全に充填されたときの総重量ＰＲＴが前記空荷時総重量ＰＶの２％から８％、好ましくは３％から６％に相当する、海と連通しない少なくとも１つの第１の閉鎖液体タンク（３’）及び１つの第２の閉鎖液体タンク（３’’）を含み、
前記タンク（３’、３’’）は、一方から他方に液体を移送するための少なくとも１つのラインを介して連通し、
前記タンク（３’、３’’）は、実質的に前記横軸（ｙ’ｙ）に沿って互いに対向して、かつ、前記タンク（３’、３’’）の各々のそれぞれの幾何学的中心を考えてｌ／２に少なくとも等しい距離ｄを互いに空けて配置され、すなわちｄ≧ｌ／２であり、
前記方法は、前記船（１）を傾かせるために前記液体を前記第１のタンク（３’）又は前記第２のタンク（３’’）のいずれかに移送するステップを含む、方法。
【請求項７】
前記液体を前記第１のタンク（３’）又は前記第２のタンク（３’’）のいずれかに移送するステップは、前記船（１）の前記下部船体の側面（２１）の上端が水位と同じ高さになるまで実行される、船（１）のトリムを制御するための請求項６に記載の方法。
【請求項８】
前記液体を前記第１のタンク（３’）又は前記第２のタンク（３’’）のいずれかに移送するステップは、前記第１のタンク（３’）又は前記第２のタンク（３’’）が充填されるまで実行される、船（１）のトリムを制御するための請求項６又は７に記載の方法。
【請求項９】
前記タンクの一方（３’又は３’’）が、前記船の横方向の最初の３分の１、好ましくは横方向の最初の４分の１に位置し、他方が、前記船（１）の横方向の最後の３分の１、好ましくは横方向の最後の４分の１に位置することを特徴とする、船（１）のトリムを制御するための請求項６から８のいずれか一項に記載の方法。
【請求項１０】
前記船（１）が、液体の到達又は不達及び前記タンク（２、３、３’、３’’、４）の各々におけるその流量を管理するためのバルブのセットと、前記タンクの１つ（２、３、３’、３’’、又は４）から別のタンク（２、３、３’、３’’、又は４）に液体を移送するための少なくとも１つのポンプと、前記タンク（２、３、３’、３’’、４）の少なくとも１つに液体を導入するための手段（３０、４０）と、を含むことを特徴とする、船のトリムを制御するための請求項１から９のいずれか一項に記載の方法。
【請求項１１】
海水バラスト（１）を有しない輸送船（１）のトリムを制御するための方法であって、前記船（１）は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船は、少なくとも１つの係留タンク（１２）を含み、前記船（１）は、前記係留タンク（１２）に液体を供給するためのライン（１３）及び前記係留タンク（１２）の排出を行うためのライン（１４）をさらに含み、前記係留タンク（１２）は前記船（１）の船首にあり、前記方法は、前記船（１）のトリムを真っ直ぐにするために、前記供給ライン（１３）を介して液体を前記係留タンク（１２）に移送するステップをさらに含む、方法。
【請求項１２】
前記係留タンク（１２）が、前記船（１）の船首の最初の３分の１、好ましくは船首の最初の４分の１に位置することを特徴とする、船（１）のトリムを制御するための請求項１１に記載の方法。
【請求項１３】
前記船（１）が、その総重量ＰＴの３０％以上５０％以下の空荷時重量Ｐｖを有することを特徴とする、船（１）のトリムを制御するための請求項１から１２のいずれか一項に記載の方法。
【請求項１４】
前記船（１）が少なくとも１つの封止された断熱タンクを含むことを特徴とし、前記タンクは、２つの連続した封止バリアを含み、一次封止バリアは前記タンクに収容される製品と接触し、二次封止バリアは、前記一次バリアと、好ましくは前記船（１）の壁の少なくとも一部からなる支持構造との間に配置され、前記２つの封止バリアは、前記一次バリアと前記支持構造との間に配置された２つの断熱バリア又は単一の断熱バリアと交互になっている、船（１）のトリムを制御するための請求項１から１３のいずれか一項に記載の方法。
【請求項１５】
前記船（１）が少なくとも１つの封止された断熱タンクを含むことを特徴とし、前記タンクは、封止バリア及び断熱バリアを含む、船（１）のトリムを制御するための請求項１から１４のいずれか一項に記載の方法。
【請求項１６】
前記タンクが液化天然ガス（ＬＮＧ）又は液化ガス（ＬＧ）を収容することを特徴とする、船（１）のトリムを制御するための請求項１４又は１５に記載の方法。
【請求項１７】
前記タンクを取り囲む空間の少なくとも一部が区画化されていないことを特徴とする、船（１）のトリムを制御するための請求項１４から１６のいずれか一項に記載の方法。
【請求項１８】
前記船（１）が積荷を運んでいないとき、前記側面（２１）の傾斜が、前記側面（２１）の先端が水位（５０）よりも上方に最大１メートルの高さ、好ましくは水位（５０）よりも上方に最大０．５メートルの高さに位置するような傾斜であることを特徴とする、船（１）のトリムを制御するための請求項１から１５のいずれか一項に記載の方法。
【発明の詳細な説明】
【技術分野】
【０００１】
本発明は、海水バラストを有しない船を対象とする。本発明は、より具体的には、液化天然ガス（以下ＬＮＧ）タンクを有する船、又は例えばエチレン、メタン、エタンなどの液化ガス（ＬＧ）若しくは液化石油ガス（ＬＰＧ）の輸送タンクを有する船などの、非常に大量の商品を輸送することが可能であり、したがって空荷で、実質的に積荷なしで、又は少ない積荷での航行時に大幅に減少した喫水を示す船であって、一方で、それが特に輸送する可能性が高い商品の性質上、前記商品なしでの帰航を定型的に行うこの種の船に関する。
【背景技術】
【０００２】
世界中で多数の商船が、あらゆる状況下で最適な耐航条件を維持するために、充填された又は部分的に充填された海水バラストを用いている。この海水バラストの主な機能は、船を水中に降ろすこと、換言すれば、喫水を増すこと、またあるいは喫水線（船の船体において到達する海水位）を上げることである。
【０００３】
実際、原則として、推進スクリュー（又は複数の推進スクリュー）を完全に浸すのに十分な喫水を得て、スクリューが離水するのを防ぐためには、海水バラストが必要となる。通常の貨物船は、商品を輸送しておらずバラストなしの場合、喫水が比較的浅くなる。喫水が減少する（又は喫水線が下がる）というこの現象は、船の空荷時重量が、重量で表される総積載容量、すなわちその最大容量まで積載されたときの船の総重量のうち、比較的小さな割合を示す場合に顕著となる。
【０００４】
本発明の文脈において、「船の空荷時重量」という表現は、貨物がなく、その運転に必要なもの以外の機器を有しない、すなわち少量の燃料を有する船の重量を意味する。相対的な重量を考慮すると、ここでは、船の空荷時重量とは、船がごくわずかな量の燃料しか含まないことを意味すると考えられる。
【０００５】
バラストを使用しない場合、実質的に船尾に配置される船の機器の重量のために、スクリューは概して十分に浸漬されず、船の船首の喫水は極端に低くなる。このような状況下では、船の耐航条件に関する安全性が許容可能なものでなくなるため、港湾区域内又は港の出口での航行及び公海での航海が許可されない。
【０００６】
そのため、これらの耐航条件を満たすために、これらの商品輸送船によって地球の様々な地域間でかなりの量の海水が輸送されている。
【０００７】
また、船がそれ以降商品を輸送しなくなったとき（以下「空荷時」との表現を用いる場合がある）に十分な耐航条件を回復するために海水バラストを使用するというこの必要性は、これらの船の積載容量が非常に大きく、そのため空荷時のこれらの船の喫水が、その長さ、高さ、及び幅の寸法を考慮すると浅すぎる（又は船体の喫水線が低すぎる）場合に、特に意味深くなる。
【０００８】
さらに、例えば非常に長いメタンタンカー型の船の場合、ナビゲーションタワー、エンジン又は複数のエンジン、及び船の運転に必要な他の要素などの航行に必要な要素の配置は、船の船尾に位置し、ＬＮＧの貯蔵を目的とするタンクは、船の船首部分に位置する。その結果、ＬＮＧ貯蔵タンクが空であるとき、船を機能させるのに必要な要素とタンクとの間の不均衡により、船の船首が船尾に対して高くなるように傾斜したトリムが船に与えられる。このように船首が高くなることにより、船首の大部分、例えば船首バルブの一部が水から浮き出て、例えば港への入港操縦中に、船の安定性及び船の航行条件が悪化する可能性がある。
【０００９】
使用上の技術的観点からは、海水バラストの使用は、非常に大きい技術的及び運用上の投資を伴う。さらに、この海水バラストは、最終的にバラストタンクの底部に堆積物の層を形成する相当量の廃物をもたらすため、船の機能が時間の経過とともに低下する場合がある。また、この大量のバラストにより船の速度が大幅に低下し、それにより、船の条件が悪い場合、特に非常に荒れた天候のために、海に留まる能力が低下することに留意すべきである。
【００１０】
さらに、一部の港湾区域への入港には、船が通らなければならない安全な航路を知っているため、アプローチ及び係留操作を行うことを許可されたパイロットの存在が不可欠である。船のこれら一時的なパイロットは、船の横に配置されるように近付くシャトル又は小型ボート等を用いて乗船する。ここで、従来はＶ字型の下部船体を有するバラストなしの船の喫水線が低すぎる場合、荒海の場合のこれらの動きにより、シャトル等が船の側面に押しつぶされる場合がある。
【００１１】
環境上の観点からは、貨物の積載と引き換えにバラスト水の少なくとも一部が投棄されるため、バラスト水の輸送は、在来の水生生物及び病原体がある地域から別の地域へと移動することにつながる。このため、一部の国の大きな港の近くの海域では、深刻な生態学的問題が発生している。このことは最近、水バラストの処理に関する国際規制の変更につながっており、投棄の前に除染及び／又は滅菌を行うことが課されている。これは、海水バラストを有する全ての船に義務付けられつつある備えである。
【００１２】
少ない海水量で同じバラスト条件を得るために船の船首と船尾との間の流量を与える海水管理用複合システムと、平坦底部ではなくＶ字型の下部船体を有するバラストなしの船とをそれぞれ開示する文献ＷＯ０３０１００４４及びＷＯ２０１２０８３６８７が知られている。文献ＣＮ２０１９８０３８２、ＣＮ２０１９３２３４１、及びＣＮ２０１９３２３３５はまた、海水バラストを回避するような、船体及び貨物用の船内空間の形状の変更を開示している。
【００１３】
これらの技術的実施形態のいずれも、バラストを有しない輸送船の空荷での航行時における耐航性を可能にする、又はさらに改善するための効果的な解決策を開示していない。
【発明の概要】
【００１４】
本発明は、外洋における、又は港湾区域への接近時及び港湾区域内でのこれらの船の耐航性を改善することによって、又はさらに単に許可することによって、海水バラストを有しない既存の船の問題及び欠点に対処することを意図する。より具体的には、ただし限定するものではないが、本発明は、ＬＮＧを輸送する船などの特に大量又は大容積の貨物を輸送可能な船、これらの船の耐航性にとって重要となる喫水が低減する現象、船のトリムが傾斜する現象、又は喫水線が下がる現象のための解決策を提案することを意図する。
【００１５】
出願人は、様々な調査及び分析の結果、海水バラストを有する船と同等又は準同等な空荷時の耐航性を確保しつつ、それらのバラストシステムに固有な全ての欠点を回避又は排除することを可能とする、技術的に簡単に実現できる解決策を見出した。
【００１６】
したがって、本発明は、海水バラストを有しない輸送船であって、船の長手軸ｘ’ｘに沿った長さＬ及び船の横軸（ｙ’ｙ）に沿った幅ｌを有し、傾斜が同一の２つの側面がそれぞれ延びる船の平坦底部を形成する部分を含む、断面が台形状である下部船体を含み、
前記船は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有する、船に関する。
【００１７】
そのような、断面が台形状である下部船体により、他の船体断面形状と比較して、例えば一部のメタンタンカーが有するような長方形断面の船体形状と比較して、船の喫水を増加させることが可能となる。
【００１８】
本発明の好適な実施形態によれば、船は、比重が１に等しい液体で完全に充填されたときの総重量ＰＲＴが空荷時重量ＰＶの２％から８％、好ましくは３％から６％に相当する、海と連通しない少なくとも１つの第１閉鎖液体タンク及び１つの第２閉鎖液体タンクを含み、
前記タンクは、一方から他方に液体を移送するための少なくとも１つのラインを介して連通し、前記タンクは、
−実質的に長手軸（ｘ’ｘ）に沿って互いに対向して、かつ、前記タンク（２、３、３’、３’’）の各々のそれぞれの幾何学的中心を考えてＬ／４に少なくとも等しい距離ｄを互いに空けて配置され、すなわちｄ≧Ｌ／４である、少なくとも２つのタンク、及び／又は、
−実質的に横軸（ｙ’ｙ）に沿って互いに対向して、かつ、前記タンク（３’、３’’）の各々のそれぞれの幾何学的中心を考えてｌ／２に少なくとも等しい距離ｄを互いに空けて配置され、すなわちｄ≧ｌ／２である、少なくとも２つのタンク
を含む。
【００１９】
下部船体が台形状である断面は、従来、船の船尾から考えて前記船の長さＬの２０％から７０％の間に長手軸ｘ’ｘに沿って配置される。
【００２０】
「下部船体」という用語は、上記で「側面」という用語により示される船体の２つの側壁が傾斜した平面内で垂直にではなくなって延びる箇所から考えて、船が（通常は海上で）正常に機能しているときの船の下側部分を意味する。換言すれば、ここで、下部船体は、平坦底部から、同一に傾斜した２つの側面の２つの対向し合う端部まで延びる船の下側部分と見なされる。理解を助けるために、添付の図５ａは特に、ここで「下部船体」と称される船のこの下側部分を示す（参照符号２０を付したプリムソルラインよりも下側の船の部分）。プリムソルライン２０は、傾斜した側壁の上端を示し、船の平坦底部と平行に延びる。
【００２１】
「比重が１に等しい液体」という表現は、純粋な水、又はミネラルをわずかに含有する水を意味し、例えばその質量は、１リットルあたり１キログラム（０．９５ｋｇから１．０５ｋｇの間）又は１立方メートル（ｍ３）あたり１メートルトンに略等しくなるように定められる。
【００２２】
本発明により、今後、改善された耐航特性を有し、（従来の空荷時の船よりも喫水が低いために）同じ航行に必要なエネルギー消費がより少なく、生態学的な類の欠点をなくし在来の生態系を尊重する必要があるために海水バラストを有する船に課せられる追加の設備コストを回避する、大量の商品を輸送するための船、通常はＬＮＧの輸送用に専用設計された船が利用可能となる。
【００２３】
さらに、本発明が特に示される船の２つの例であるメタンタンカー又は液化ガス輸送機に本発明が適用される場合、本解決手段による利点としては以下が考えられる。
−下部船体のＶ字型の形状による、貯蔵タンクの底部における１つ又は複数のサンプの設置の容易さ。
−一般には近くに配置される海水バラストがないことによる、２つの貯蔵タンク間の、該当する場合は２連の船体スペースである「コファダム」又は「複数のコファダム」の分割の除去。鋼壁を摂氏零度超又はそれに近い比較的高温に維持することを目的として、前記コッファダム又は複数のコッファダムを加熱するための現在のシステムに代えて、又はそれに加えて、周囲空気を熱交換流体とすることも考えられる。
−海水バラストがないために船の浮力特性が改善される（したがって砕け波により沈没の危険が生じた場合に港に到達する能力が向上する）ことによる、貯蔵タンクの数及び関連する処理システムの削減（ポンプ、バルブ、検出システムなどの数の削減）、つまり、船を区画化する必要性の削減。通常、タンク数を３つ又は４つから２つのみ、又はさらには１つのみにまで削減することが可能となる。このタンク数の削減により、特に次の３つの点によって、輸送船の全体的な熱性能が改善される。すなわち、断熱すべき領域が大幅に削減されること、（通常はコファダムのレベルにおける）加熱システムが必要とするカロリーが大幅に削減されること、そして最後に、海水バラストがないために船体を通り抜けるカロリーが大きく削減されること、である。
【００２４】
本発明の他の有利な特徴を以下に特定する。
−本発明の１つの好適な実施形態によれば、タンクが実質的に長手軸ｘ’ｘに沿って互いに対向して配置される場合、タンクの一方は、船の船首における最初の３分の１、好ましくは最初の４分の１に位置し、他方のタンクは、船の船尾における最後の３分の１、好ましくは最後の４分の１に位置する。
−本発明に係る船は、有利には、船の長さＬの４０％から６０％の間を含む区域の間に位置する第３のタンクを含み、第１のタンクと第２のタンクとの間での液体の移送のための連通は、好ましくは前記第３のタンクを介して行われる。
−本発明の好適な実施形態によれば、タンクが実質的に横軸ｙ’ｙに沿って互いに対向して配置される場合、タンクの一方は、船の横方向における最初の３分の１、好ましくは最初の４分の１に位置し、他方のタンクは、船の横方向における最後の３分の１、好ましくは最後の４分の１に位置する。
−本発明に係る船は、有利には、液体の到達又は不達及びタンクの各々におけるその流量を管理するためのバルブのセットと、タンクの１つから別のタンクに液体を移送するための少なくとも１つのポンプと、タンクの少なくとも１つに液体を導入するための手段と、を含む。
−本発明によって提供される１つの可能性によれば、船は、それを充填する／空にするための（適用可能な場合は海水との）少なくとも１つの連通ラインを配置した、液体タンクから独立した少なくとも１つの係留タンクを含み、前記タンクは、船の船首の最初の３分の１、好ましくは船首の最初の４分の１に位置する。
この係留タンクは、船がドック入りするときに使用され、特に、積荷の積み降ろし時に船のトリムを変更又は修正するために使用される。この係留タンクは、船が移動しているとき、又は港内若しくは港湾区域内を移動しているときにのみ充填されることを意図していないため、海水バラストとは異なる。
【００２５】
前記連通ラインは、好ましくは、そのタンクの排出を非常に容易に行えるように、その排出口が船の空荷時の喫水線よりも上に位置する。
【００２６】
さらに、本発明の好適な実施形態によれば、前記係留タンクの上壁のレベルに位置するライン又は入口を介して充填が行われる。
【００２７】
メタンタンカー型の船が積荷を輸送せず傾斜したトリムを有する状況において、この種の係留タンクは、船が港湾区域に入る若しくは港湾区域内で航行するとき、又は修理又はメンテナンスのために乾ドックに入るときに船のトリムを回復することを可能とするため、特に有用である。実際、この種の係留タンクにより、船のトリムを回復し、したがって喫水線を水面と平行にすることが可能となる。特に、船が乾ドック内にある状況において、乾ドック内に存在する水を除去した際に船のトリムが傾斜している場合、最初には船の重量の全体が船体の同じ部分、この事例ではメタンタンカー型の船の状況における船の機能的機器を収容する船尾にかかり、これは、船体の局所的な部分にかかる船の重量が大きいために船体の劣化につながる場合がある。乾ドック内に存在する水を除去したときに、船のトリムをリセットすることにより、船を乾ドックに均一に載せることが可能となり、したがって、支持力の船の船体における分布のバランスが取れ、それにより船体の劣化を防ぐことが可能となる。
【００２８】
さらに、この種の係留タンクは、船のトリムを修正するために、局地的に、すなわち同じ港湾区域で充填されたり空にされたりするため、生態学的リスクを発生させることがない。そのため、ある港湾区域の水が別の港湾区域から来た水によって汚染されるリスクがない。
−本発明に係る船は、好ましくは、その総重量ＰＴの３０％以上５０％以下の空荷時重量Ｐｖを有する。
−本発明に係る船は、有利には、少なくとも１つの封止された断熱タンクを含み、前記タンクは、２つの連続した封止バリアを含み、一次封止バリアはタンクに収容される製品と接触し、二次封止バリアは、一次バリアと、好ましくは船の壁の少なくとも一部からなる支持構造との間に配置され、これら２つの封止バリアは、一次バリアと支持構造との間に配置された２つの断熱バリア又は単一の断熱バリアと交互になっている。
【００２９】
このタイプのタンクは、例えばＭＡＲＫＩＩＩ（登録商標）型タンクなど、国際海事機関（ＩＭＯ）のコードで従来から指定されている一体型タンクである。
−本発明によって提供される別の可能性によれば、船は、少なくとも１つの封止された断熱タンクを含み、前記タンクは、封止バリア及び断熱バリアを含む。このタイプの構造は、例えばタイプＣのタンクなど、ＩＭＯコードに従ったいわゆる独立タンクによってより具体的に例示される。
−最初の２つの仮定では、タンクは、好ましくは液化天然ガス（ＬＮＧ）又は液化ガス（ＬＧ）を収容する。
−有利には、タンクを囲む空間の少なくとも一部が分割されていない。
「分割されていない空間」という表現は、２つの隣接するタンク間、又はタンクと船の別の部分との間の容積（これらの空間はコファダムとして当業者に知られている）が開いた又は閉じていない空間になっていて、例えば前記容積及び隣接する容積との間での周囲空気の循環が可能であることを意味する。
−船が積荷を収容していないとき、前記側面の傾斜は、それら側面の先端が水位よりも上方に最大０．８メートルの高さ、好ましくは水位よりも上方に最大１メートルの高さに位置するような傾斜である（ここで、海又は海洋が水位を構成している）。
【００３０】
本発明はまた、海水バラストを有しない輸送船であって、船の長手軸ｘ’ｘに沿った長さＬ及び船の横軸（ｙ’ｙ）に沿った幅ｌを有し、傾斜が同一の２つの側面がそれぞれ延びる船の平坦底部を形成する部分を含む、断面が台形状である下部船体を含み、
前記船は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有する、船に関する。
【００３１】
本実施形態において、船が積荷を収容していないとき、及び、好ましくは船のトリムを修正するようにタンク内の液体が移送されたとき、側面の２つの上端部は、水位よりも上方に最大で１メートル、好ましくは最大で半（０．５）メートルの高さｈにある。
【００３２】
本発明はまた、海水バラストを有しない輸送船のトリムを制御するための方法であって、船は、船の長手軸に沿った長さＬ及び船の横軸に沿った幅ｌを有し、傾斜が同一の２つの側面がそれぞれ延びる船の平坦底部を形成する部分を含む、断面が台形状である下部船体を含み、
前記船は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、前記船は、少なくとも１つの係留タンクを含み、船は、係留タンクに液体を供給するためのライン及び係留タンクの排出を行うためのラインをさらに含み、前記係留タンクは船の船首に配置され、これにより、供給ラインを介して液体を係留タンクに移送することで、船のトリムの修正が可能となる、方法を提供する。
【００３３】
上述した実施形態又は実施態様又は実行の全てが、この上記の特定の実施形態に含まれ得る。
【００３４】
２つの側面は、有利には、１０°以上４５°以下、好ましくは１５°以上３５°以下の傾斜角を有する。
【図面の簡単な説明】
【００３５】
添付の図を参照して、以下の説明を単なる非限定的な例示として与える。
【図１】本発明の一実施形態に係るバラストを有しない船を概略断面図で示す。
【図２】本発明の別の実施形態に係るバラストを有しない船を概略断面図で示す。
【図３】本発明の一実施形態に係る、タンク内に存在する、４つのタンク間で液体を移送するための回路の機能の概略図を示す。
【図４】本発明の一実施形態に係る船の断面図である。
【図５ａ】本発明に係る船と、強い横風にさらされているその同じ船であって、乾ドックに配置されているこの船とを概略的に示す。
【図５ｂ】本発明に係る船と、強い横風にさらされているその同じ船であって、乾ドックに配置されているこの船とを概略的に示す。
【図６】本発明の一実施形態に係る船の船体の一部の断面図であり、船が部分的又は全量の積荷を収容している場合と、その同じ船が空荷である、すなわち積荷がない場合とにおける喫水線を示す。
【図７】係留タンクを含む船の断面図である。
【発明を実施するための形態】
【００３６】
図１は、本発明に係る船１の実施形態を示し、本発明を例示するために選択された船１は、商品／貨物を輸送していない、又は比較的少量の商品／貨物を輸送している。
【００３７】
本実施形態において、この船１は、２つの液体タンク２、３を含み、その一方２は前方（船首）部分に位置し、他方３は後方（船尾）部分に位置し、これら２つの液体タンク２、３は、一方から他方への液体の移送を可能とするように互いにに連通している。より厳密には、船首タンク２は、船１の船首端５から船１の船尾端６までの船の長さＬを基準として、船１の船首の最初の４分の１に配置される。同様に、本実施形態において、船尾タンク３は、船１の船尾の最後の４分の１に配置される。船首液体タンク２は、船１の長さＬの最初の１２．５％（１／８）に相当する最初の船首部分に位置する、及び／又は、船尾液体タンク３は、船１の長さＬの最後の１２．５％（１／８）に相当する最後の船尾部分に位置することが想定され得る。
【００３８】
図１に見られるように、本発明を例示するために選択された船１は従来、従来は上部構造と称されるナビゲーションタワー１１と、実質的に船１の船尾に位置する、従来は煙突と称される機器１０とを含む。これにより、船１は、長手軸ｘ’ｘに沿って船尾に向かって傾斜している、換言すれば、船１のプリムソルライン２０は、ここでは長手軸ｘ’ｘに沿って表される海面９に対して傾斜している。
【００３９】
船１のこの傾斜は、大きな積荷の輸送を目的とする非常に長い船１の場合に特に重要であり、ナビゲーションタワー１１及び機器１０は船１の船尾に位置し、船１の船首は商品の格納用に確保される。例えば、メタンタンカー型の船１の状況において、ＬＮＧの貯蔵を目的とするタンクは、上部構造の前方の船１の全長にわたって配置される。したがって、船がＬＮＧを輸送していないとき、船１の船首の重量は、船１の船尾の重量よりも大幅に小さいため、海水位に対する船１の傾斜が大きい。この傾斜により、船体の船首部分の大部分、特に船首バルブの少なくとも一部が浮き出て、それにより船の航行条件が悪化する場合がある。
【００４０】
本例において、液体の全て又は実質的に全てを船首タンク２に送ることを選択した場合、図１の喫水線１０９又は図２の喫水線２０９で示すように、船１のプリムソルライン２０は海面に対して傾斜しない、又はほとんど傾斜しない。換言すれば、液体を船首タンクに移送することで、海面に対する船１の傾斜を低減することにより、典型的にはプリムソルライン２０と喫水線１０９との間の傾斜を低減することにより、船１のトリムを修正することが可能となる。
【００４１】
補足的に、船１は、図１において破線で描かれているように、係留タンク１２を含んでよい。この係留タンク１２は、船１の船首に位置する。この種の係留タンクは、特に港湾区域での操縦を容易にし、船１が乾ドック内にあるときに船の重量を均一な分布を確保するために、空荷時の船１のトリムを修正することを目的としている。この係留タンク１２は、船１の船首の重量をさらに大きくし、それにより、機器１１及び上部構造１０を含む船１の船尾と、船１の船首に位置する空の格納区域とのバランスをとることによって船１のトリムを修正するために、液体が充填される。この種の係留タンク１２は、典型的には、船が積荷を輸送していないときには海水が充填され、喫水線２０９をプリムソルライン２０に略平行にすることを可能とする。この種の係留タンクは、好ましくは、船首タンク２及び船尾タンク３から独立しており、換言すれば、船首タンク２及び船尾タンク３の機能に用いられる液体は、係留タンク１２の機能を可能にする液体と連通していない。
【００４２】
この係留タンク１２は、港湾区域での使用に限定されており、港湾区域での操縦を容易にするために海水が充填され、船１が港湾区域を離れる必要があるときに空にされ得る。したがって、係留タンク１２の充填に使用される海水は、汲み上げられた後同じ地理的領域に排出されるため、港湾区域での航行を目的とするこの種の係留タンク１２は、生態系に対するリスクを示さない。さらに、船１が乾ドックに入ったとき、略水平である（すなわち、乾ドック内の水位と平行である）プリムソルライン２０により、乾ドックの水が空になって船１が乾ドックの底部に載ったときに、船１の重量が船体の全長にわたって良好に分布することが可能となる。
【００４３】
図２は、船１の別の実施形態を示す。この場合、船１は、３つの液体タンク２、３、４、すなわち、図１に示す船１に存在する船首液体タンク２及び船尾液体タンク３と、それらに加えて船体中央タンク４を含む。この船体中央タンク４は、他の２つのタンク２、３と、一方から他方に液体を移送するように連通している。船体中央タンク４は、その長手軸ｘ’ｘに沿って船１の略中央に位置し、典型的には、長手軸ｘ’ｘに沿って船１の船首端５又は船尾端６から見て船１の長さＬの３０％以上７０％以下の区域にある、好ましくは船１の長さＬの４０％以上６０％以下の区域にある。
【００４４】
本発明によって提供される１つの可能性によれば、液体は、好ましくは、この船体中央タンク４を介して船首タンク２と船尾タンク３との間で移送される。別の可能性によれば、液体は、この船体中央タンク４とは独立して、船首タンク２と船尾タンク３との間で移送される、又は移送され得る。
【００４５】
この図２に見られるように、船首タンク２、船尾タンク３、及び船体中央タンク４の間での液体の配分は、船１のプリムソルライン２０が海／海洋の平面（局地的水位）とほぼ平行に延びるような配分である。本事例において、船１のプリムソルライン２０は、図２では喫水線２０９と一致している。
【００４６】
図３は、船が船首タンク２、船体中央タンク４、及び、横軸ｙ’ｙに沿って互いに対してオフセットされた２つの船尾タンク３’、３’  ’の４つのタンクを有する又は含む、本発明の実施形態を概略的に示す。これら２つの横方向にオフセットされた船尾タンク３’、３’’を有するこの種の実施形態は、これら２つの船尾タンク’、３’’のみが示されている図４においてより明確に表されている。
【００４７】
図３に見られるように、タンク２、３’、３’’及び４の各々は、少なくとも１つの充填／排出ライン３０及び１つの液体移送ライン４０を有する。充填／排出ライン３０は、対象のタンクが、それが連通する他のタンクとは独立して充填される又は空にされることを可能にし、一方、移送ライン４０は、液体がそのタンクから又はそのタンクに輸送されることを可能にして、それぞれ、少なくとも部分的にそのタンクを空にして少なくとも部分的に別のタンクを充填し、少なくとも部分的にそのタンクを充填して少なくとも部分的に別のタンクを空にする。もちろん、図３に示すような様々なタンクを相互接続する液体移送ライン４０のネットワークは、この種のネットワークの一例に過ぎず、このネットワークが少なくとも２つのタンク２、３’、３’’、４の間での液体の循環を可能にする又は許可するという目的に適う限り、これらの移送ライン４０のどのような配置又はレイアウトも用いることができる。液体移送ライン４０のネットワークは、少なくとも１つのポンプ６０、好ましくは複数のポンプ６０、及び、少なくとも部分的にタンク２、３’、３’’、又は４を空にしてそれが収容する液体を別のタンク２、３’、３’’、又は４に移送することができる、タンク２、３’、３’’、４と同じ数の可能なポンプ６０を含む。もちろん、ポンプ６０のように遠隔制御される複数のバルブが、液体を適切な／所望のタンクに送るために、この液体移送ラインネットワーク４０に設けられている。
【００４８】
複数の液体タンク２、３’、３’’、４、及び、それらのタンク２、３’、３’’、４の少なくとも１つから別のタンクへの液体の移送が可能であることは、第一に、船１の傾斜又は船１のプリムソルライン２０が、従来、長手軸ｘ’ｘ又は海／海洋の表面が延びる平面と平行になるように変更されることを可能にすることを目的としている。これらのタンク２、３’、３’’、４、及び、少なくとも２つのタンク間での液体の移送が可能であることの第２の目的は、特に特定の港又は港湾区域に入るときに船長が船を導くために乗船するときに、その操縦性を許可又は促進するために必要な最小限のレベルまでではあるが、船１の喫水線を下げる又は喫水を大きくすることにある。
【００４９】
図４に示す実施形態において、船１は、横軸ｙ’ｙに沿って互いに対してオフセットされた少なくとも２つのタンク３’、３’’を含む。より正確には、第１のタンク３’は、横軸ｙ’ｙに沿った船の幅ｌに沿った最初の３分の１、好ましくは最初の４分の１に位置し、第２のタンク３’’は、やはり船１の幅ｌに沿った最後の３分の１、好ましくは最後の４分の１に位置する。
【００５０】
本図において、右舷タンク３’がその最大の容積／質量容量の約３分の２（２／３）まで充填されているのに対し、左舷タンク３’は空であることが示されている。この重量差又は勾配があるために、船１は片側に傾く。換言すれば、ここでは横軸ｙ’ｙと平行に延びる船１のプリムソルライン２０は、海面／海洋面の平面５０（局地的水位）に対して（非ゼロの）傾斜又は角度を有する。そのため、これら２つのタンク３’、３’’間で液体を移送することにより、船１のプリムソルライン２０が右舷側の海／海洋の水位５０と同じ高さになり、それにより、添付の図には示さないシャトル等が船１に隣接して配置されるようにすることで、困難な港又は港湾区域への接近及び進入のために船を導くことが可能な船長を引き渡すことができる。そのシャトル等がなければ、海の状態が予測不可能な場合に、船１の船体の側面２１によって押し潰される又は損傷する危険性がある。実際、本発明によれば、船１の横軸ｙ’ｙに沿って（すなわち、その幅に沿って）オフセット又は離隔して配置された２つのタンク３’、３’’からの液体の移送が可能であることにより、特に、（船１に貨物／積荷がないために）海／海洋の水位５０よりも明らかに上方に位置する傾斜した側面２１によって押しつぶされる／損傷する危険を生じないように小型ボートを横付けするときに、船を必要に応じて傾かせることが可能となる。
【００５１】
図５ａ及び図５ｂは、その特定の特性及び寸法をもたらしている、本発明に係る船１の設計上の選択肢の１つを示している。したがって、船１が、特に改修及び場合により修理を受けるために乾ドック内にあるとき、図５ｂに示すように、（横軸ｙ’ｙに沿った）強い横風で転覆する危険がないことが不可欠である。実際、海水バラストがないため、本発明に係る船１は、台形状の下部船体、すなわち特に、２つの傾斜した側面２１がそれぞれ延びる２つの端部を有する平面下部２２を有する。船１の長さＬ及び高さを考慮して、船１の平面下部２２は、空荷時重量を考慮して、最大の力（その値は国際的な規格又は規制によって定められる）を及ぼす横風に船１が耐えることができるように十分に広く設計される。したがって、本発明に係る船１の平面部分２２の幅は、その長さＬ、その高さ、及びその空荷時重量の関数であり、前記船１が、横方向に、軸ｙ’ｙに沿って、又はその軸と平行に向けられた極端な力（乾ドックでの安全なメンテナンス作業に関する規制によって定量化される）に耐えることができ、それにより、船１が乾ドック内にあるときは傾斜せず下部船体の平面部分２２に載るようなものである。
【００５２】
図６は、本発明に係る船１の補足的な態様を示している。本図では、船１の半船体（幅ｌ／２）が垂直断面で表されている。ここで、海水バラストを有しない本発明に係る船１の設計は、第１に、船１が空荷である（貨物／商品がない）ときに、船１の喫水線４４が船１のプリムソルライン２０、すなわち下部船体から延びる傾斜した側面２１が終端する区域に近くなることを確実にすることを目的とする。空荷時の船１の喫水線４４と船１のプリムソルライン２０との間の差は、最大で１メートルに等しく、好ましくは５０ｃｍ（センチメートル）未満、又はさらに非常に好ましくは３０ｃｍ未満である必要がある。この図６には、船１に積荷があるとき、すなわち貨物及び／又は商品を輸送しているときの船１の喫水線４５も示されていることに留意されたい。さらに、２つの側面は、１０°以上４５°以下、好ましくは１５°以上３５°以下の角度αによる傾斜を有する。
【００５３】
低い高さｈに関する、海水バラストを有しない船１のＶ字型下部船体の製造についてのこれらの要件は、特に、ただし非限定的に、海又は海洋が荒れている場合に船に横付けされる小型ボートを損傷又は破損しないように定められる。
【００５４】
図７は、図１に示すような係留タンク１２を含む船の断面における機能概略図を示す。上記で説明したように、この種の係留タンク１２は、船１のバランスを取って水平なトリム、すなわち水位に平行なプリムソルライン２０を有することを可能とするために、船の船首に位置する。
【００５５】
この図７において、空荷時、すなわち積荷を輸送していないときの船の喫水線が、係留タンク１２が空の場合は番号１０９、充填されている場合は番号２０９で示されている。係留タンク１２は、一方では供給ライン１３に接続され、他方では排出ライン１４に接続されている。供給ラインは、例えば、港湾区域から海水を汲み上げて係留タンク１２を充填するポンプ（不図示）を用いて、前記係留タンク１２を充填するために、係留タンク１２の上部へと排出する。排出ライン１４は、係留タンク１２を空にすることを可能とするために、係留タンク１２の底部に配置されている。この排出ライン１４は、係留タンク１２の内容物を海に注ぐために、例えばプリムソルライン２０の上方の船１の側面に直接排出する。
【図１】
2021525679.tif 000003
【図２】
2021525679.tif 000004
【図３】
2021525679.tif 000005
【図４】
2021525679.tif 000006
【図５ａ】
2021525679.tif 000007
【図５ｂ】
2021525679.tif 000008
【図６】
2021525679.tif 000009
【図７】
2021525679.tif 000010
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
海水バラストを有しない輸送船（１）のトリムを制御するための方法であって、前記船は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船（１）は、比重が１に等しい液体で完全に充填されたときの総重量ＰＲＴが前記空荷時重量ＰＶの２％から８％、好ましくは３％から６％に相当する、海と連通しない少なくとも１つの船首閉鎖液体タンク（２）及び１つの船尾閉鎖液体タンク（３）を含み、
前記タンク（２、３）は、一方から他方に液体を移送するための少なくとも１つのラインを介して連通し、
前記タンク（２、３）は、実質的に前記長手軸（ｘ’ｘ）に沿って互いに対向して、かつ、前記タンク（２、３）の各々のそれぞれの幾何学的中心を考えてＬ／４に少なくとも等しい距離ｄを互いに空けて配置され、すなわちｄ≧Ｌ／４であり、
前記方法は、前記船の積荷の重量がＰＴＣ／１０未満のときに、液体を前記船首タンク（２）に移送して、前記船の喫水線を真っ直ぐにするステップを含む、方法。
【請求項２】
前記液体を前記船首タンク（２）に移送するステップは、前記船首タンク（２）が充填されるまで実行される、船（１）のトリムを制御するための請求項１に記載の方法。
【請求項３】
前記船（１）は係留タンク（１２）をさらに含み、前記係留タンク（１２）は前記船首タンク（２）及び前記船尾タンク（３）から独立しており、前記船（１）は、前記係留タンク（１２）に液体を供給するためのライン（１３）及び前記係留タンク（１２）の排出を行うためのライン（１４）をさらに含み、前記係留タンク（１２）は前記船（１）の船首にあり、前記方法は、前記船（１）の前記喫水線をさらに真っ直ぐにするために、前記供給ライン（１３）を介して前記液体を前記係留タンクに移送するステップをさらに含む、船（１）のトリムを制御するための請求項１又は２に記載の方法。
【請求項４】
前記船首タンク（２）が、前記船の船首の最初の３分の１、好ましくは船首の最初の４分の１に位置し、前記船尾タンク（３）が、前記船（１）の船尾の最後の３分の１、好ましくは船尾の最後の４分の１に位置することを特徴とする、船（１）のトリムを制御するための請求項１から３のいずれか一項に記載の方法。
【請求項５】
前記船（１）が、前記船（１）の前記長さＬの４０％以上６０％以下の区域に位置する第３のタンク（４）を含むことを特徴とし、前記船首タンク（２）と前記船尾タンク（３）との間での液体の移送のための連通は、好ましくは前記第３のタンク（４）を介して行われる、船（１）のトリムを制御するための請求項１から４のいずれか一項に記載の方法。
【請求項６】
海水バラスト（１）を有しない輸送船（１）のトリムを制御するための方法であって、前記船は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船は、比重が１に等しい液体で完全に充填されたときの総重量ＰＲＴが前記空荷時総重量ＰＶの２％から８％、好ましくは３％から６％に相当する、海と連通しない少なくとも１つの第１の閉鎖液体タンク（３’）及び１つの第２の閉鎖液体タンク（３’’）を含み、
前記タンク（３’、３’’）は、一方から他方に液体を移送するための少なくとも１つのラインを介して連通し、
前記タンク（３’、３’’）は、実質的に前記横軸（ｙ’ｙ）に沿って互いに対向して、かつ、前記タンク（３’、３’’）の各々のそれぞれの幾何学的中心を考えてｌ／２に少なくとも等しい距離ｄを互いに空けて配置され、すなわちｄ≧ｌ／２であり、
前記方法は、前記船（１）を傾かせるために前記液体を前記第１のタンク（３’）又は前記第２のタンク（３’’）のいずれかに移送するステップを含む、方法。
【請求項７】
前記液体を前記第１のタンク（３’）又は前記第２のタンク（３’’）のいずれかに移送するステップは、前記船（１）の前記下部船体の側面（２１）の上端が水位と同じ高さになるまで実行される、船（１）のトリムを制御するための請求項６に記載の方法。
【請求項８】
前記液体を前記第１のタンク（３’）又は前記第２のタンク（３’’）のいずれかに移送するステップは、前記第１のタンク（３’）又は前記第２のタンク（３’’）が充填されるまで実行される、船（１）のトリムを制御するための請求項６又は７に記載の方法。
【請求項９】
前記タンクの一方（３’又は３’’）が、前記船の横方向の最初の３分の１、好ましくは横方向の最初の４分の１に位置し、他方が、前記船（１）の横方向の最後の３分の１、好ましくは横方向の最後の４分の１に位置することを特徴とする、船（１）のトリムを制御するための請求項６から８のいずれか一項に記載の方法。
【請求項１０】
前記側面（２１）の１つを有する前記船（１）の側を選択するステップをさらに含み、前記液体を前記第１のタンク（３’）又は前記第２のタンク（３’’）のいずれかに移送するステップは、前記船（１）を前記船（１）の側に傾かせるために実行される、船（１）のトリムを制御するための請求項６から９のいずれか一項に記載の方法。
【請求項１１】
前記船（１）が、液体の到達又は不達及び前記タンク（２、３、３’、３’’、４）の各々におけるその流量を管理するためのバルブのセットと、前記タンクの１つ（２、３、３’、３’’、又は４）から別のタンク（２、３、３’、３’’、又は４）に液体を移送するための少なくとも１つのポンプと、前記タンク（２、３、３’、３’’、４）の少なくとも１つに液体を導入するための手段（３０、４０）と、を含むことを特徴とする、船のトリムを制御するための請求項１から１０のいずれか一項に記載の方法。
【請求項１２】
海水バラスト（１）を有しない輸送船（１）のトリムを制御するための方法であって、前記船（１）は、前記船（１）の長手軸（ｘ’ｘ）に沿った長さＬ及び前記船（１）の横軸（ｙ’ｙ）に沿った幅ｌを有し、傾斜が同一の２つの側面（２１）がそれぞれ延びる前記船（１）の平坦底部（２２）を形成する部分を含む、断面が台形状である下部船体を含み、
前記船（１）は、所与の最大積載重量ＰＴＣを考慮すると、式：ＰＴ＝Ｐｖ＋ＰＴＣに従う、その総重量ＰＴの２０％以上６０％以下の空荷時重量Ｐｖを有し、
前記船は、少なくとも１つの係留タンク（１２）を含み、前記船（１）は、前記係留タンク（１２）に液体を供給するためのライン（１３）及び前記係留タンク（１２）の排出を行うためのライン（１４）をさらに含み、前記係留タンク（１２）は前記船（１）の船首にあり、前記方法は、前記船が積荷を輸送せず傾斜したトリムを有する状況において、前記船が港湾区域に入る若しくは港湾区域内で航行するとき、又は前記船が乾ドックに入るときに、前記船（１）のトリムを真っ直ぐにするために、前記供給ライン（１３）を介して海水を前記係留タンク（１２）に充填するステップをさらに含む、方法。
【請求項１３】
前記係留タンク（１２）が、前記船（１）の船首の最初の３分の１、好ましくは船首の最初の４分の１に位置することを特徴とする、船（１）のトリムを制御するための請求項１２に記載の方法。
【請求項１４】
前記供給ライン（１３）は、前記係留タンク（１２）の上部へと排出する、船（１）のトリムを制御するための請求項１２又は１３に記載の方法。
【請求項１５】
前記排出ライン（１４）は、船（１）の側面及び前記船（１）のプリムソルライン（２０）の上方に排出する、船（１）のトリムを制御するための請求項１２から１４のいずれか一項に記載の方法。
【請求項１６】
前記船（１）が、その総重量ＰＴの３０％以上５０％以下の空荷時重量Ｐｖを有することを特徴とする、船（１）のトリムを制御するための請求項１から１５のいずれか一項に記載の方法。
【請求項１７】
前記船（１）が少なくとも１つの封止された断熱タンクを含むことを特徴とし、前記タンクは、２つの連続した封止バリアを含み、一次封止バリアは前記タンクに収容される製品と接触し、二次封止バリアは、前記一次バリアと、好ましくは前記船（１）の壁の少なくとも一部からなる支持構造との間に配置され、前記２つの封止バリアは、前記一次バリアと前記支持構造との間に配置された２つの断熱バリア又は単一の断熱バリアと交互になっている、船（１）のトリムを制御するための請求項１から１６のいずれか一項に記載の方法。
【請求項１８】
前記船（１）が少なくとも１つの封止された断熱タンクを含むことを特徴とし、前記タンクは、封止バリア及び断熱バリアを含む、船（１）のトリムを制御するための請求項１から１７のいずれか一項に記載の方法。
【請求項１９】
前記タンクが液化天然ガス（ＬＮＧ）又は液化ガス（ＬＧ）を収容することを特徴とする、船（１）のトリムを制御するための請求項１７又は１８に記載の方法。
【請求項２０】
前記タンクを取り囲む空間の少なくとも一部が区画化されていないことを特徴とする、船（１）のトリムを制御するための請求項１６から１９のいずれか一項に記載の方法。
【請求項２１】
前記船（１）が積荷を運んでいないとき、前記側面（２１）の傾斜が、前記側面（２１）の先端が水位（５０）よりも上方に最大１メートルの高さ、好ましくは水位（５０）よりも上方に最大０．５メートルの高さに位置するような傾斜であることを特徴とする、船（１）のトリムを制御するための請求項１から２０のいずれか一項に記載の方法。
【国際調査報告】
2021525679.tif 000011
2021525679.tif 000012
2021525679.tif 000013
2021525679.tif 000014